(57)【要約】【解決すべき課題】接続器具ブロックを配設固定した合成樹脂製のハウジング本体内に浸入した飲料や洗剤などの液体が接続器具ブロックに触れるのを防いで安全性を向上させると共に、接続不良を防止することができるフロアコンセントボックスを提供する。【課題を解決するための手段】内部に接続器具ブロック２を配設した上面開口のハウジング本体１と、このハウジング本体１の上面に取付ける額縁状のフランジ６と、このフランジ６の中央開口部に開閉自在に取付ける蓋板８とを具備してなるフロアコンセントにおいて、ハウジング本体１の内壁部１４に、樋状部１５を形成して、ハウジング本体１の上部からハウジング本体内１に浸入した液体を当該樋状部１４で受けるようになし、且つ樋状部で受けた液体をハウジング本体１外に排出するための排液孔１６を形成した。【選択図】図４
2008109738.tif 000002
【特許請求の範囲】
【請求項１】
内部に接続器具ブロックを配設した上面開口のハウジング本体と、このハウジング本体の上面に取付ける額縁状のフランジと、このフランジの中央開口部に開閉自在に取付ける蓋板とを具備してなるフロアコンセントにおいて、前記ハウジング本体の内壁部に、樋状部を形成して、ハウジング本体の上部からハウジング本体内に浸入した液体を当該樋状部で受けるようになし、且つ樋状部で受けた液体をハウジング本体外に排出するための排液孔を、ハウジング本体に形成したことを特徴とするフロアコンセントボックス。
【請求項２】
樋状部の形成位置が接続器具ブロックの取付位置より上方であることを特徴とする請求項１記載のフロアコンセントボックス。
【請求項３】
フランジの中央開口部に開閉自在に取付ける蓋板の先端部に、通線時と非通線時の切り換えを可能にした通線チップを取付けたことを特徴とする請求項１または請求項２記載のフロアコンセントボックス。
【請求項４】
接続器具ブロックが電源器具ブロック、電話器具ブロック、情報器具ブロックのいずれか一つまたはこれらの任意の組み合わせからなる請求項１ないし請求項３記載のフロアコンセントボックス。
【発明の詳細な説明】
【技術分野】
【０００１】
本発明はオフィスあるいは一般居宅の床面などに取付けて電源を取り出したり、通信ケーブルなどを接続するための接続器具ブロックを配設したフロアコンセントボックスに関する。
【背景技術】
【０００２】
オフィスのみならず一般家庭においても、情報端末や家電製品などに接続するためのフロアコンセントが用いられるようになってきており、これまでに様々なタイプのフロアコンセントが開発されてきている。
【０００３】
その中の一つに、天蓋に設けられた凹溝内にコインなどを挿着して一定方向に回すとロック状態が解除されて、内部に配設したコイルスプリングの弾発力によってプラグなどを受ける接続器具ブロックが自動的に上方に突出する上下動型のものがある。
【０００４】
このアップコンセントの場合、ワンタッチで接続器具ブロックが床面に突出するため操作性は頗る良好であるが、コインなどによって天蓋を回動して悪戯されることが多いという問題点がある他、床面上に突出する部分が大きく、使用中に足をぶつけたりするトラブルが多かった。
【０００５】
上記したアップコンセントの他、蓋板を開けて内部に固定された接続器具ブロックにプラグ類を接続するタイプのものがある。このタイプのフロアコンセントは、下記特許文献に開示されているように、下部ケース内に、プラグ類の受け面を斜め状態にして固定したコンセントと、このコンセントを収納固定した下部ケースの上部周縁に突成したフランジ部と、このフランジ部の中央開口に開閉自在に取付ける蓋板と、この蓋板の開度を段階的に調節する機構を具備しており、床面と同一面となるように施工することができるためフリーアクセスフロアに適した構造のものである。
【特許文献１】実開平６−３６３２４号公報
【発明の開示】
【発明が解決しようとする課題】
【０００６】
上記したように、フリーアクセスフロアなどに適する蓋板を開けて内部に斜め状に固定された接続器具ブロックにプラグ類を接続するタイプのものが知られている。
しかしながら、このタイプのフロアコンセントの場合、床面に飲料をこぼしたり、掃除の際に洗剤を誤ってこぼしたりすると、フランジ部と蓋板の隙間から液体が下部ケース内に浸入し、コンセント類に到達した場合、ショートや信号ケーブルなどの接続不良を起こすという重大な問題点がある。
【０００７】
そこで、本発明は、接続器具ブロックを配設固定した合成樹脂製のハウジング本体の内壁部に、内部に浸入した飲料や洗剤など液体を受け止めることができる樋状部を形成すると共に、ハウジング本体に排液孔を形成して、内部に浸入した液体をスムーズにハウジング本体外に排出できるようにしたフロアコンセントボックスを提供することを目的とするものである。
【課題を解決するための手段】
【０００８】
上記目的を達成するための本発明の構成を詳述すれば、請求項１に係る発明は、内部に接続器具ブロックを配設した上面開口のハウジング本体と、このハウジング本体の上面に取付ける額縁状のフランジと、このフランジの中央開口部に開閉自在に取付ける蓋板とを具備してなるフロアコンセントにおいて、前記ハウジング本体の内壁部に、樋状部を形成して、ハウジング本体の上部からハウジング本体内に浸入した液体を当該樋状部で受けるようになし、且つ樋状部で受けた液体をハウジング本体外に排出するための排液孔を、ハウジング本体に形成したことを特徴とするフロアコンセントボックスである。
【０００９】
請求項２に係る発明は、樋状部の形成位置が接続器具ブロックの取付位置より上方であることを特徴とする請求項１記載のフロアコンセントボックスである。
【００１０】
請求項３に係る発明は、フランジの中央開口部に開閉自在に取付ける蓋板の先端部に、通線時と非通線時の切り換えを可能にした通線チップを取付けたことを特徴とする請求項１または請求項２記載のフロアコンセントボックスである。
【００１１】
請求項４に係る発明は、接続器具ブロックが電源器具ブロック、電話器具ブロック、情報器具ブロックのいずれか一つまたはこれらの任意の組み合わせからなる請求項１ないし請求項３記載のフロアコンセントボックスである。
【発明の効果】
【００１２】
本発明によれば、一般家庭などで誤って床面に飲料や洗剤などをこぼしてハウジング本体内に浸入したとしても、接続器具ブロックを配設固定した合成樹脂製のハウジング本体の内壁部に、樋状部を形成してあるため、接続器具ブロックのプラグ類受け面に液体が及ぶのを有効に防ぐことができると共に、ハウジング本体内に浸入した液体を排液孔からハウジング本体外に速やかに排出することができるのでハウジング本体内の乾燥状態を保持することができ、電源ショートや信号ケーブルなどの接続不良を防ぐことができる。
【発明を実施するための最良の形態】
【００１３】
以下、本発明に係るフロアコンセントボックスの一実施形態を図面に基づき詳細に説明する。
【００１４】
図１は蓋板を閉じた状態の本発明フロアコンセントボックスの一実施形態を示す斜視図であり、図２は蓋板を開けた状態の本発明フロアコンセントボックスの一実施形態を示す斜視図である。図３は本発明フロアコンセントボックスの断面図、図４はハウジング本体に形成した排液孔を示す斜視図、図５は接続器具ブロックの反対側の内壁部に形成した樋状部と排液孔の詳細を示す斜視図である。
【００１５】
図中１は合成樹脂成形体からなる上面開口のハウジング本体であり、２は当該ハウジング本体１の内部に止め螺子３および係合鉤部４によって固定された接続器具ブロックである。この接続器具ブロック２は情報端末や家電製品などに給電するコンセントなどの電源ブロック、モジュラージャックコンセントのような電話器具ブロック、その他各種情報器具ブロックのいずれか一つまたはこれらの任意の組み合わせからなるものである。
【００１６】
なお、接続器具ブロック２が固定されたハウジング本体１の反対側は、図示の実施例の場合開口となっていて、当該開口部に着脱自在に盲蓋５が取付けられている。この盲蓋５を外すことによってハウジング本体１内部に別の接続器具ブロックを取付けることも可能である。
【００１７】
次に、６は前記ハウジング本体１の上面に取付ける額縁状のフランジであり、当該フランジ６を、例えばオフィスにおけるフリーアクセスフロアに開けた開口部の周縁に当接させて固定金具７を用いて床面に固定するものである。８はこのフランジ６の中央開口部に開閉自在に取付ける蓋板であり、当該蓋板８の自由端側には各種ケーブル類を通すための切欠部が設けられており、当該切欠部には通線時と非通線時の切り換えが可能な通線チップ９が反転自在に取付けられている。
【００１８】
すなわち、接続器具ブロック２を使用しないときは、通線チップ９を反転させて通線孔の設けられていないフラット部１０が表面側となるようにしておき、接続器具ブロック２を使用するときは蓋板８に配設されたロック解除ボタン１１を矢印方向にスライドさせて蓋板８をスプリング１２の弾発力によって自動的に上方に少し持ち上げ、蓋板８を開けてからケーブル類をハウジング本体１内に引き込み、所望の接続器具ブロック２にプラグ類を接続する。
【００１９】
そして、通線チップ９の通線孔１３が設けられた側が表面となるように通線チップ９を反転させ、ケーブル類を当該通線孔内を通して蓋板８をフランジ６と同一面となるように押し込んで蓋板８をロック状態にする。こうすることにより、フランジ６、蓋板８は、例えばフリーアクセスフロアの上面と同一面を形成することとなる。
【００２０】
このような構造のフロアコンセントにおいて、本発明はハウジング本体１の内壁部１４に樋状部１５を形成して、ハウジング本体１の上部からハウジング本体１内に浸入した液体を当該樋状部１５で受けるようになし、且つ樋状部１５で受けた液体をハウジング本体１外に排出するための排液孔１６をハウジング本体１に穿設形成したものである。
【００２１】
ハウジング本体１の内壁部１４に形成する樋状部１５は、図示するように、接続器具ブロック２の取付位置より上方となっている。これにより、ハウジング本体１内に浸入した液体が接続器具ブロック２に到達するのを防ぐことができるのである。すなわち、樋状部１５の形成位置が接続器具ブロック２より下方位置の場合には、接続器具ブロック２に内部浸入液体が接触するおそれがあるが、本発明では接続器具ブロック２より上方位置に樋状部１５を形成してあるので、内壁部１４を伝って浸入した液体によって接続器具ブロック２が濡れるのを防ぐことができるのである。
【００２２】
なお、図示する実施例においては樋状部１５はＶ溝状となっているが、樋形状はこれに限らずＵ字状溝などとしてもよい。また、排液孔１６は樋状部１５の両端に位置するハウジング本体１に、それぞれ穿設するようにしてもよいし、あるいはいずれか一方のみに穿設するようにしてもよい。その場合は、好ましくは排液孔１６側が低くなるように樋状部１５に傾斜を設けるとよい。
【００２３】
また、樋状部１５は接続器具ブロック２の固定された側の内壁部１４だけでなく、前記盲蓋５が取付けられるハウジング本体１の内壁部１７にも形成することができ、同様に樋状部１５の端部には排液孔１６を穿設して、ハウジング本体１の上部からハウジング本体１を伝って浸入する液体を排出できるようにする。
【００２４】
このように、本発明フロアコンセントボックスは、接続器具ブロックを配設固定したハウジング本体１の内壁部１４，１７に、樋状部１５を形成すると共に、樋状部１５の端部に排液孔１６を形成したものであるから、内壁部１４，１７を伝ってハウジング本体１内に浸入した飲料や洗剤などの液体を受け止めることができ、且つ排液孔を介してハウジング本体１外に排出することができ、安全性が向上すると共に、接続不良などのトラブルの少ないフロアコンセントボックスを提供することができる。
【図面の簡単な説明】
【００２５】
【図１】蓋板を閉じた状態の本発明フロアコンセントボックスの一実施形態を示す斜視図である。
【図２】蓋板を開けた状態の本発明フロアコンセントボックスの一実施形態を示す斜視図である。
【図３】本発明フロアコンセントボックスの一実施形態を示す断面図である。
【図４】ハウジング本体に形成した樋状部に連なる排液孔を示す斜視図である。
【図５】接続器具ブロックの反対側の内壁部に形成した樋状部と排液孔の詳細を示す斜視図である。
【符号の説明】
【００２６】
１：ハウジング本体
２：接続器具ブロック
３：止め螺子
４：係合鉤部
５：盲蓋
６：フランジ
７：固定金具
８：蓋板
９：通線チップ
１０：フラット部
１１：ロック解除ボタン
１２：スプリング
１３：通線孔
１４：内壁部
１５：樋状部
１６：廃液孔
１７：内壁部
【図１】
2008109738.tif 000003
【図２】
2008109738.tif 000004
【図３】
2008109738.tif 000005
【図４】
2008109738.tif 000006
【図５】
2008109738.tif 000007